(57)【要約】【課題】端末装置が直接通信の相手方の端末装置との間のパスロスを推定することを可能とすること。【解決手段】接続している基地局装置の制御の下で他の端末装置と直接通信を行う端末装置は、他の端末装置へ、端末装置と他の端末装置との間のパスロスを他の端末装置が推定するための、端末装置が信号を送信する際の送信電力の情報を通知する。【選択図】  図５
2016082331.tif 000002
【特許請求の範囲】
【請求項１】
接続している基地局装置の制御の下で他の端末装置と直接通信を行う端末装置であって、
前記他の端末装置へ、前記端末装置と前記他の端末装置との間のパスロスを前記他の端末装置が推定するための、前記端末装置が信号を送信する際の送信電力の情報を通知する通知手段を有する、
ことを特徴とする端末装置。
【請求項２】
前記通知手段は、前記基地局装置によって直接通信に割り当てられたリソースを用いて、前記他の端末装置へ、直接、前記情報を通知する、
ことを特徴とする請求項１に記載の端末装置。
【請求項３】
前記通知手段は、前記基地局装置を介して、前記他の装置へ前記情報を通知する、
ことを特徴とする請求項１に記載の端末装置。
【請求項４】
前記通知手段は、前記他の端末装置との直接通信を要求する信号に前記情報を付加して前記基地局装置へ送信し、前記基地局装置は、直接通信のためのリソースの割り当てを通知する信号に前記情報を付加して、前記他の端末装置へ当該情報を通知する、
ことを特徴とする請求項３に記載の端末装置。
【請求項５】
前記通知手段は、前記基地局装置へ前記情報を送信し、
前記基地局装置は前記他の端末装置が接続している他の基地局装置へ前記情報を送信し、
前記他の基地局装置は前記他の端末装置へ前記情報を送信する、
ことを特徴とする請求項１に記載の端末装置。
【請求項６】
前記通知手段は、前記他の端末装置との直接通信を要求する信号に前記情報を付加して前記基地局装置へ送信し、前記他の基地局装置は、直接通信のためのリソースの割り当てを通知する信号に前記情報を付加して、前記他の端末装置へ当該情報を通知する、
ことを特徴とする請求項５に記載の端末装置。
【請求項７】
前記他の端末装置が信号を送信する際の送信電力の情報を受信する受信手段と、
受信した前記他の端末装置の送信電力の情報に基づいて、前記他の端末装置と前記端末装置との間のパスロスを推定する推定手段と、
推定した前記パスロスに基づいて直接通信における信号の送信電力を制御する制御手段と、
をさらに有することを特徴とする請求項１から６のいずれか１項に記載の端末装置。
【請求項８】
前記送信電力の情報は、１つの物理リソースブロックあたりの送信電力の値を示す情報である、
ことを特徴とする請求項１から７のいずれか１項に記載の端末装置。
【請求項９】
前記送信電力の情報は、全ての物理リソースブロックが割り当てられた場合の送信電力の値を示す情報である、
ことを特徴とする請求項１から７のいずれか１項に記載の端末装置。
【請求項１０】
前記送信電力の情報は、直接通信に用いることができる全ての物理リソースブロックが割り当てられた場合の送信電力の値を示す情報である、
ことを特徴とする請求項１から７のいずれか１項に記載の端末装置。
【請求項１１】
前記送信電力の情報は、最大送信電力値と、１つの物理リソースブロックあたりの送信電力との差分の値を示す情報である、
ことを特徴とする請求項１から７のいずれか１項に記載の端末装置。
【請求項１２】
前記送信電力の情報は、全ての物理リソースブロックが割り当てられた場合の１つの物理リソースブロックあたりの最大送信電力値と、実際の１つの物理リソースブロックあたりの送信電力との差分の値を示す情報である、
ことを特徴とする請求項１から７のいずれか１項に記載の端末装置。
【請求項１３】
前記送信電力の情報は、直接通信に用いることができる全ての物理リソースブロックが割り当てられた場合の１つの物理リソースブロックあたりの最大送信電力値と、実際の１つの物理リソースブロックあたりの送信電力との差分の値を示す情報である、
ことを特徴とする請求項１から７のいずれか１項に記載の端末装置。
【請求項１４】
接続している基地局装置の制御の下で他の端末装置と直接通信を行う端末装置の制御方法であって、
通知手段が、前記他の端末装置へ、前記端末装置と前記他の端末装置との間のパスロスを前記他の端末装置が推定するための、前記端末装置が信号を送信する際の送信電力の情報を通知する通知工程を有する、
ことを特徴とする制御方法。
【請求項１５】
接続している基地局装置の制御の下で他の端末装置と直接通信を行う端末装置に備えられたコンピュータに、前記他の端末装置へ、前記端末装置と前記他の端末装置との間のパスロスを前記他の端末装置が推定するための、前記端末装置が信号を送信する際の送信電力の情報を通知する工程を実行させるためのプログラム。
【発明の詳細な説明】
【技術分野】
【０００１】
本発明は無線通信システムにおける送信電力制御技術に関する。
【背景技術】
【０００２】
第３世代パートナーシッププロジェクト（３ＧＰＰ）において、基地局装置の制御の下で端末装置が直接通信を行うことが検討されている（非特許文献１）。この端末装置間の直接通信では、端末装置は、接続している基地局装置へ直接通信を要求し、基地局装置が直接通信に割り当てたリソース（周波数及び時間リソース）を用いて、他の端末装置との間で通信を行う。
【先行技術文献】
【非特許文献】
【０００３】
【非特許文献１】３ＧＰＰ  ＴＲ２２．８０３  Ｖ１２．２．０
【発明の概要】
【発明が解決しようとする課題】
【０００４】
端末装置間で直接通信を行う場合、送信電力制御を行うことが肝要となる。すなわち、直接通信による送信信号が相手方の端末装置へ十分な電力で届くと共に、その信号が他の通信に与える干渉を十分に抑えるような送信電力で信号を送信することが重要となる。
【０００５】
ここで、送信電力をこのように制御するためには、端末装置は相手方の端末装置との間のパスロスを知ることが必要となる。しかしながら、端末装置は、直接通信において、相手方の端末装置が送信した信号の電力を測定することはできるが、相手方の端末装置が信号を送信する際の送信電力を知らないため、パスロスを推定することができないという課題があった。
【０００６】
本発明は上記課題に鑑みてなされたものであり、端末装置が直接通信の相手方の端末装置との間のパスロスを推定することを可能とする技術を提供することを目的とする。
【課題を解決するための手段】
【０００７】
上記目的を達成するため、本発明による端末装置は、接続している基地局装置の制御の下で他の端末装置と直接通信を行う端末装置であって、前記他の端末装置へ、前記端末装置と前記他の端末装置との間のパスロスを前記他の端末装置が推定するための、前記端末装置が信号を送信する際の送信電力の情報を通知する通知手段を有する。
【発明の効果】
【０００８】
本発明によれば、端末装置が直接通信の相手方の端末装置との間のパスロスを推定することが可能となる。
【図面の簡単な説明】
【０００９】
【図１】端末装置間の直接通信が行われる無線通信システムの構成例を示す図。
【図２】基地局装置及び端末装置のハードウェア構成例を示すブロック図。
【図３】端末装置の機能構成例を示すブロック図。
【図４】基地局装置の機能構成例を示すブロック図。
【図５】処理の流れの第１の例を示すシーケンス図。
【図６】処理の流れの第２の例を示すシーケンス図。
【図７】処理の流れの第３の例を示すシーケンス図。
【発明を実施するための形態】
【００１０】
以下、添付図面を参照して本発明の実施の形態を詳細に説明する。
【００１１】
（無線通信システム）
本実施形態に係る無線通信システムは、例えば、図１に示すような構成を有する。すなわち、１つの基地局装置と、２つの端末装置が存在し、端末装置は、それぞれ、基地局装置へ接続している。なお、端末装置は２つ以上存在してもよいし、基地局装置も複数存在してもよい。また、本例では、２つの端末装置が同一の基地局装置へ接続している例を示しているが、それぞれが異なる基地局装置へ接続していてもよい。すなわち、端末装置Ａは基地局装置Ａへ接続し、端末装置Ｂは基地局装置Ａと異なる基地局装置Ｂへ接続していてもよい。
【００１２】
本無線通信システムでは、基地局装置及び端末装置は、例えば３ＧＰＰのロングタームエボリューション（ＬＴＥ）の規格に従って動作する。また、本無線通信システムでは、端末装置は、ＬＴＥのＤ２Ｄ（Ｄｅｖｉｃｅ  ｔｏ  Ｄｅｖｉｃｅ）通信の手法に従い、基地局装置の制御の下で、他の端末装置と直接通信を行うことができるものとする。なお、この技術について、無線通信システムで採用する無線通信規格は、ＬＴＥに限らず、したがって、端末装置間の直接通信もＤ２Ｄ通信に従うものでなくてもよい。
【００１３】
本無線通信システムでは、端末装置は、特定の他の端末装置と直接通信を行うものとする。この場合、端末装置の複数のペアが同時に端末装置間の直接通信を行うことが想定される。したがって、ある端末装置間の直接通信で送信された信号が、他の端末装置間の通信に対して干渉を及ぼす場合がありうる。この干渉の影響を十分に低く抑えるためには、端末装置間の通信において送信電力制御を行うことが重要となる。
【００１４】
ここで、端末装置の送信電力は、相手方の端末装置から送信された信号が届くまでの通信経路によるパスロスに応じて定められる。すなわち、端末装置は、パスロスが大きいほど、送信した信号が相手方の端末装置へ届くのに必要な電力が大きいことが分かるため、送信電力を大きくする。反対にパスロスが小さい場合、端末装置は、送信電力をパスロスの程度に合わせて低く抑えても、相手方の端末装置において無事に受信されうるため、送信電力を低減して、他の端末装置間の直接通信等への干渉を抑えることができる。
【００１５】
端末装置は、パスロスを推定するために、相手方の端末装置が送信した信号の受信電力のみならず、相手方の端末装置がどの程度の電力で信号を送信したかを知らなくてはならない。しかしながら、現状、端末装置が相手方の端末装置の信号の送信電力を知る手法については何ら確立されていなかった。
【００１６】
このため、本実施形態では、端末装置間の送信電力制御のために、端末装置が相手方の端末装置へ、信号を送信する際の送信電力の値について通知するようにする。以下、このような手法について、詳細に説明する。
【００１７】
（基地局装置および端末装置の構成）
続いて、本実施形態に係る基地局装置及び端末装置の構成について説明する。図２は、基地局装置及び端末装置のハードウェア構成例を示す図である。基地局装置及び端末装置は、一例において、図２に示すような、同様のハードウェア構成を有し、例えば、ＣＰＵ２０１、ＲＯＭ２０２、ＲＡＭ２０３、外部記憶装置２０４、及び通信装置２０５を有する。基地局装置及び端末装置では、例えばＲＯＭ２０２、ＲＡＭ２０３及び外部記憶装置２０４のいずれかに記録された、基地局装置及び端末装置の各機能を実現するためのプログラムがＣＰＵ２０１により実行される。そして、基地局装置及び端末装置は、例えばＣＰＵ２０１により通信装置２０５を制御して、基地局装置と他の基地局装置との間又は基地局装置と端末装置との間の通信を行う。
【００１８】
なお、図２では、基地局装置及び端末装置は、１つの通信装置２０５を有するとしているが、例えば、基地局装置は、基地局装置間の通信用の通信装置及び端末装置との間の通信装置を有してもよい。また、端末装置は、例えば、複数の周波数帯域のそれぞれに対応する複数の通信装置を有していてもよい。なお、端末装置は、端末装置間の直接通信のために、例えば、上りリンクの信号を受信するための通信装置を有していてもよいし、下りリンクの信号を送信するための通信装置を有していてもよい。
【００１９】
なお、基地局装置及び端末装置は、各機能を実行する専用のハードウェアを備えてもよいし、一部をハードウェアで実行し、プログラムを動作させるコンピュータでその他の部分を実行してもよい。また、基地局装置及び端末装置は、その全機能をコンピュータとプログラムにより実行させてもよい。
【００２０】
図３は、本実施形態に係る端末装置の機能構成例を示すブロック図である。端末装置は、例えば、無線通信部３０１及び送信電力情報通知部３０２を有する。または、端末装置は、送信電力情報取得部３０３、パスロス推定部３０４、及び送信電力制御部３０５を有する。さらに、端末装置は、これらの機能部の全てを有してもよい。すなわち、端末装置は、直接通信の相手方の端末装置がパスロスを推定するための送信電力の情報を通知する機構と、相手方の端末装置から通知された送信電力の情報に基づいてパスロスを推定して自らの送信電力を制御する機構との少なくともいずれかを有する。
【００２１】
無線通信部３０１は、基地局装置との通信と、他の端末装置との直接通信とを行うための無線通信に係る処理を行い、無線信号を送信し、受信する。送信電力情報通知部３０２は、端末装置自身が信号を送信する際の送信電力の情報を、直接通信の相手方の他の端末装置へと通知する。なお、この情報の通知は、無線通信部３０１を介して行われる。例えば、送信電力情報通知部３０２は、現在の信号の送信電力の情報を含むデータを形成して、無線通信部３０１へ出力する。無線通信部３０１は、このデータを含む無線信号を形成すると、この無線信号を、例えば、直接通信の相手方の端末装置へ直接送信し、又は、接続している基地局装置を介して相手方の端末装置へと送信する。この処理の流れについては後述する。
【００２２】
送信電力情報取得部３０３は、直接通信の相手方の端末装置から、その相手方の端末装置が無線信号を送信する際の送信電力の情報を取得する。この情報の取得も、無線通信部３０１を介して行われる。例えば、無線通信部３０１は、例えば、直接通信の相手方の端末装置から、又は、接続している基地局装置から、相手方の端末装置の送信電力の情報を含む無線信号を受信して、その無線信号に含まれる情報を送信電力情報取得部３０３へ受け渡す。送信電力情報取得部３０３は、受け渡された情報から、相手方の端末装置の送信電力の情報を抽出して取得する。取得した送信電力の情報はパスロス推定部３０４に入力される。
【００２３】
パスロス推定部３０４は、入力された送信電力の情報と、無線通信部３０１における無線信号の受信電力とに基づいて、パスロスの大きさを推定する。例えば、アンテナ等の影響等を考慮しない場合、パスロス推定部３０４は、無線信号の受信電力から送信電力の大きさを減じた量がパスロスの大きさとして推定される。実際には、アンテナゲインなどが考慮されて、パスロスの大きさが推定される。
【００２４】
送信電力制御部３０５は、推定されたパスロスの大きさに基づいて、信号を送信する際の送信電力を決定して、無線通信部３０１における無線信号の送信電力を制御する。なお、送信電力の情報を相手方の端末装置へ通知する場合は、送信電力の値を送信電力情報通知部３０２へも通知する。
【００２５】
続いて、基地局装置の機能構成例について、図４を用いて説明する。基地局装置は、例えば、無線通信部４０１、有線通信部４０２、送信電力情報取得部４０３、及びリソース割当部４０４を有する。なお、図４は、端末装置が基地局装置を介して、直接通信の相手方の端末装置へ送信電力の情報を通知する場合の構成であり、送信電力の情報が端末装置間で直接送受信される場合は、例えば送信電力情報取得部４０３は省略されてもよい。
【００２６】
無線通信部４０１は、基地局装置に接続している端末装置との間で無線信号を送信し、受信するための機能部であり、無線通信に係る処理を行う。有線通信部４０２は、例えば他の基地局装置との間で有線通信用の信号を送信または受信するための機能部であり、有線通信に係る処理を行う。なお、基地局間通信が無線で行われる場合は、有線通信部４０２は省略されてもよい。
【００２７】
送信電力情報取得部４０３は、例えば無線通信部４０１を介して、端末装置から、その端末装置における送信電力の情報を取得する。そして、送信電力情報取得部４０３は、その情報を、その端末装置の直接通信の相手方の端末装置へ送信するために、無線通信部４０１へと入力する。また、送信電力情報取得部４０３は、その情報を端末装置の直接通信の相手方の端末装置へ送信するために、その相手方の端末装置が接続している他の基地局装置へ送信するために、有線通信部４０２へ入力してもよい。
【００２８】
さらに、送信電力情報取得部４０３は、例えば有線通信部４０２を介して、他の基地局装置から、当該他の基地局装置に接続している端末装置における送信電力の情報を取得してもよい。そして、この場合、送信電力情報取得部４０３は、取得した情報を、無線通信部４０１を介して、他の基地局装置に接続している端末装置の相手方の端末装置へ送信する。なお、ここでの相手方の端末装置は、基地局装置自身に接続している端末装置である。
【００２９】
リソース割当部４０４は、基地局装置と端末装置との間の通信に対して例えば物理リソースブロックの単位でリソースを割り当て、また、端末装置間の直接通信に使用可能なリソースの集合を例えばリソースプールとして割り当てる。割り当てられたリソースの情報は、無線通信部４０１を介して、基地局装置に接続している端末装置へ通知される。
【００３０】
なお、端末装置から相手方の端末装置へ通知される送信電力の情報は、例えば、１つの物理リソースブロック（ＰＲＢ）あたりの送信電力の値を示す情報でありうる。また、送信電力の情報は、全てのＰＲＢが割り当てられた場合の送信電力の値の情報であってもよいし、直接通信に用いることができる全てのＰＲＢ（リソースプール中の全ＰＲＢ）が割り当てられた場合の送信電力の値の情報であってもよい。
【００３１】
また、送信電力の情報は、最大送信電力値との差分として通知されてもよい。すなわち、送信電力の情報は、例えば、最大送信電力値と、１つの物理リソースブロック（ＰＲＢ）あたりの送信電力との差分の値を示す情報でありうる。また、送信電力の情報は、全てのＰＲＢが割り当てられた場合の１つのＰＲＢあたりの最大送信電力値と、実際の１つのＰＲＢあたりの送信電力との差分の値を示す情報であってもよい。さらに、送信電力の情報は、直接通信に用いることができる全てのＰＲＢ（リソースプール中の全ＰＲＢ）が割り当てられた場合の１つのＰＲＢあたりの最大送信電力値と、実際の１つのＰＲＢあたりの送信電力との差分の値を示す情報であってもよい。
【００３２】
（処理の流れ）
続いて、無線通信システムで行われる処理の流れについて説明する。
【００３３】
［例１］
まず、処理の流れの第１の例について、図５を用いて説明する。本例では、２つの端末装置（端末装置Ａ及び端末装置Ｂ）が１つの基地局装置に接続している場合において、端末装置は、相手方の端末装置へ、直接通信によって、送信電力の情報を通知する。なお、端末装置は、端末装置間の直接通信を行っていない間に、送信電力制御パラメータを基地局装置から受信している。
【００３４】
その後、端末装置Ａが、端末装置Ｂとの間で直接通信を行うことの要求を基地局装置へ送信する。基地局装置は、この要求に応じて、直接通信に利用可能なリソースプールの情報を端末装置Ａ及び端末装置Ｂへ通知する。なお、この通知は、直接通信の要求側及び被要求側の端末装置へ個別のシグナリングによって通知されてもよいし、報知信号によって基地局装置の配下の全端末装置へ通知されてもよい。
【００３５】
端末装置Ａは、直接通信へのリソースの割り当て（リソースプールの通知）を受けると、その割り当てられたリソースを用いて、端末装置Ｂと直接通信を行う。このとき、端末装置Ａは、端末装置Ｂへ送信する信号に、送信対象のデータに加えて、その信号の送信電力の情報を含めて送信する。
【００３６】
端末装置Ｂは、端末装置Ａからの信号を受信すると、その信号に含まれた送信電力の情報と、その信号の受信電力とから、パスロスを推定する。そして、端末装置Ｂは、そのパスロスに基づいて、自身が信号を送信する際の送信電力を決定して、決定された送信電力で、端末装置Ａへ信号を送信する。なお、この信号にも、データのみならず、その信号の送信電力の情報が含められる。これにより、直接通信を行う２つの端末装置のそれぞれにおいてパスロスを推定し、適切な送信電力を決定することが可能となる。
【００３７】
なお、端末装置Ａ及び端末装置Ｂは、直接通信を開始後の最初の１回目の信号送信の際には、所定の電力で信号を送信するようにしてもよい。これにより、最初の１回目については、送信電力情報が信号に付加されることなく、パスロスの推定を行うことが可能となる。そして、端末装置は、送信電力制御を行った後に、送信電力情報を付加した信号を送信するようにしてもよい。
【００３８】
端末装置Ａは、端末装置Ｂからの信号を受信することにより、端末装置Ｂが行ったのと同様にしてパスロスを推定して電力制御を行う。このパスロス推定と電力制御とは、繰り返し実行されうる。なお、信号の送信ごとに送信電力の情報が通知されなくてもよく、所定周期ごとに、送信電力の情報を含む信号が送信されるようにしてもよい。
【００３９】
［例２］
続いて、処理の流れの第２の例について、図６を用いて説明する。本例では、２つの端末装置（端末装置Ａ及び端末装置Ｂ）が１つの基地局装置に接続している場合において、端末装置は、基地局装置を介して、相手方の端末装置へ送信電力の情報を通知する。なお、端末装置は、端末装置間の直接通信を行っていない間に、送信電力制御パラメータを基地局装置から受信しているのは例１と同様である。
【００４０】
端末装置Ａは、端末装置Ｂとの間で直接通信を行うことの要求を基地局装置へ送信する。このとき、端末装置Ａは、送信電力の情報を基地局装置へ通知する。なお、端末装置Ｂも送信電力の情報を基地局装置へ通知しているものとする。なお、送信電力の通知は、端末装置Ａからの通知のように、直接通信の要求に付加されて送信されてもよいし、端末装置Ｂからの通知のように、直接通信の要求とは関係なく送信されてもよい。
【００４１】
基地局装置は、端末装置Ａからの直接通信の要求に応じて、直接通信に利用可能なリソースプールの情報を端末装置Ａ及び端末装置Ｂへ通知する。なお、基地局装置は、この通知の際に、端末装置Ａには端末装置Ｂの送信電力の情報を、端末装置Ｂには端末装置Ａの送信電力の情報を、それぞれ通知する。ただし、送信電力の情報は、リソースプールの情報の通知と同時に行われる必要はなく、それぞれ別の通知として端末装置へ送信されてもよい。
【００４２】
その後、端末装置Ａは端末装置Ｂへ、端末装置Ｂは端末装置Ａへ、それぞれ直接通信のためのデータ信号を送信する。そして、端末装置Ａは、信号の受信電力と、基地局装置から通知された端末装置Ｂの送信電力の情報とに基づいて、端末装置Ｂと端末装置Ａとの間のパスロスを推定する。同様に、端末装置Ｂは、信号の受信電力と、基地局装置から通知された端末装置Ａの送信電力の情報とに基づいて、端末装置Ａと端末装置Ｂとの間のパスロスを推定する。そして、端末装置Ａ及び端末装置Ｂは、推定したパスロスの値に基づいて、それぞれ電力制御を行う。
【００４３】
その後は、定期的に端末装置から基地局装置へ送信電力の情報を通知して、基地局装置がそれぞれ相手方の端末装置へその送信電力の情報を送信するようにしてもよいし、例１のようにして、定期的に送信電力の情報を直接交換してもよい。これにより、直接通信を行う２つの端末装置のそれぞれにおいてパスロスを推定し、適切な送信電力を決定することが可能となる。
【００４４】
なお、上述の説明では、端末装置Ｂが端末装置Ａと同様のタイミングで送信電力情報を基地局装置へ通知する例を示しているが、これに限られない。すなわち、端末装置Ｂは、送信電力情報を端末装置Ａが直接通信を要求するタイミングで基地局装置へ通知しなくてもよく、端末装置Ｂが端末装置Ａへの信号を送信する前にこれが端末装置Ａへ通知されていれば足りる。例えば、直接通信が開始された直後には、端末装置Ａの送信電力情報が端末装置Ｂに通知され、端末装置Ｂの送信電力情報は端末装置Ａへ通知されない場合について説明する。この場合、まず、端末装置Ａが信号を送信して、端末装置Ｂがパスロスを推定して送信電力を決定した後に、その送信電力の情報を基地局装置へ送信し、基地局装置は、その送信電力の情報を端末装置Ａへ通知する。その後、端末装置Ｂは、端末装置Ａへの信号を直接通信によって送信する。また、例１のように、端末装置Ａが信号を送信して、端末装置Ｂがパスロスを推定して送信電力を決定した後に、その送信電力の情報を付加した無線信号を端末装置Ａに送信することにより、端末装置Ａへ端末装置Ｂの送信電力の情報が通知されてもよい。これにより、直接通信の開始時にその直接通信を要求する端末装置のみが送信電力の情報を通知する場合であっても、直接通信を行う２つの端末装置のそれぞれにおいてパスロスを推定し、適切な送信電力を決定することが可能となる。
【００４５】
［例３］
続いて、処理の流れの第３の例について、図７を用いて説明する。本例では、２つの端末装置（端末装置Ａ及び端末装置Ｂ）がそれぞれ別の基地局装置（基地局装置Ａ及び基地局装置Ｂ）に接続している場合において、端末装置は、接続中の基地局装置へ送信電力の情報を通知する。そして、基地局装置は、端末装置の直接通信の相手方の端末装置が接続している他の基地局装置へ、その情報を送信する。そして、他の基地局装置が、相手方の端末装置へ、その送信電力の情報を送信する。なお、端末装置は、端末装置間の直接通信を行っていない間に、送信電力制御パラメータを基地局装置から受信しているのは例１及び例２と同様である。
【００４６】
端末装置Ａは、端末装置Ｂとの間で直接通信を行うことの要求を基地局装置Ａへ送信する。このとき、端末装置Ａは、送信電力の情報を基地局装置Ａへ通知する。なお、端末装置Ｂは送信電力の情報を基地局装置Ｂへ通知しているものとする。なお、送信電力の通知は、例２と同様に、端末装置Ａからの通知のように、直接通信の要求に付加されて送信されてもよいし、端末装置Ｂからの通知のように、直接通信の要求とは関係なく送信されてもよい。
【００４７】
基地局装置Ａは、端末装置Ａからの送信電力の情報を取得すると、端末装置Ａの直接通信の相手方である端末装置Ｂが接続している基地局装置Ｂに対して、その情報を送信する。また、このとき、基地局装置Ａは、端末装置Ｂの送信電力の情報を基地局装置Ｂに対して要求する。なお、端末装置Ａの送信電力の情報の通知と、端末装置Ｂの送信電力の情報の要求は必ずしも同時になされなくてもよく、それぞれ別の信号として基地局装置Ｂへと送信されてもよい。基地局装置Ｂは、基地局装置Ａからの要求に応じて、端末装置Ｂの送信電力の情報を基地局装置Ａへ通知する。
【００４８】
そして、基地局装置Ａは、端末装置Ａからの直接通信の要求に応じて、直接通信に利用可能なリソースプールの情報を端末装置Ａへ通知する。なお、基地局装置Ａは、この通知の際に、端末装置Ａに端末装置Ｂの送信電力の情報を通知する。また、基地局装置Ｂは、直接通信に利用可能なリソースプールの情報を端末装置Ｂへ通知する。なお、この通知は、ブロードキャスト信号によって行われてもよい。また、基地局装置Ｂは、端末装置Ｂに対して端末装置Ａの送信電力の情報を通知する。なお、リソースプールの通知と、送信電力の情報の通知は、同時に行われる必要はなく、それぞれ別のタイミングで通知されてもよい。
【００４９】
その後、端末装置Ａは端末装置Ｂへ、端末装置Ｂは端末装置Ａへ、それぞれ直接通信のためのデータ信号を送信する。そして、端末装置Ａは、信号の受信電力と、基地局装置から通知された端末装置Ｂの送信電力の情報とに基づいて、端末装置Ｂと端末装置Ａとの間のパスロスを推定する。同様に、端末装置Ｂは、信号の受信電力と、基地局装置から通知された端末装置Ａの送信電力の情報とに基づいて、端末装置Ａと端末装置Ｂとの間のパスロスを推定する。そして、端末装置Ａ及び端末装置Ｂは、推定したパスロスの値に基づいて、それぞれ電力制御を行う。
【００５０】
その後、端末装置は、例えば、本例のようにして、定期的に基地局装置へ送信電力の情報を通知し、基地局装置と他の基地局装置とを介して、それぞれ相手方の端末装置へその送信電力の情報を通知する。なお、端末装置は、例１のようにして、定期的に送信電力の情報を相手方の端末装置と直接交換するようにしてもよい。これにより、直接通信を行う２つの端末装置のそれぞれにおいてパスロスを推定し、適切な送信電力を決定することが可能となる。
【００５１】
なお、上述の説明では、端末装置Ｂが端末装置Ａと同様のタイミングで送信電力情報を基地局装置へ通知する例を示しているが、これに限られない。すなわち、端末装置Ｂは、送信電力情報を端末装置Ａが直接通信を要求するタイミングで基地局装置Ｂへ通知しなくてもよく、端末装置Ｂが端末装置Ａへの信号を送信する前にこれが端末装置Ａへ通知されていれば足りる。例えば、直接通信が開始された直後には、端末装置Ａの送信電力情報が端末装置Ｂに通知され、端末装置Ｂの送信電力情報は端末装置Ａへ通知されない場合について説明する。この場合、まず、端末装置Ａが信号を送信して、端末装置Ｂがパスロスを推定して送信電力を決定した後に、その送信電力の情報を基地局装置Ｂへ送信し、基地局装置Ｂはこの情報を基地局装置Ａへ送信する。そして、基地局装置Ａは、その送信電力の情報を端末装置Ａへ通知する。その後、端末装置Ｂは、端末装置Ａへの信号を直接通信によって送信する。また、例１のように、端末装置Ａが信号を送信して、端末装置Ｂがパスロスを推定して送信電力を決定した後に、その送信電力の情報を付加した無線信号を端末装置Ａに送信することにより、端末装置Ａへ端末装置Ｂの送信電力の情報が通知されてもよい。これにより、直接通信の開始時にその直接通信を要求する端末装置のみが送信電力の情報を通知する場合であっても、直接通信を行う２つの端末装置のそれぞれにおいてパスロスを推定し、適切な送信電力を決定することが可能となる。
【図１】
2016082331.tif 000003
【図２】
2016082331.tif 000004
【図３】
2016082331.tif 000005
【図４】
2016082331.tif 000006
【図５】
2016082331.tif 000007
【図６】
2016082331.tif 000008
【図７】
2016082331.tif 000009